(57)【要約】【課題】室の内外から、指紋を認識することができるとともに、一般家庭にも簡単に取付けることが可能な、指紋認識式防犯扉を提供する。【解決手段】指紋検出窓１１とイメージセンサ１２からなる指紋認識部１と、この指紋認識部１で得られた読み取り指紋データと予め登録されている登録指紋データとの一致、不一致を照合、判定する指紋照合部２と、この指紋照合部２から送られてくる照合判定結果一致の信号によって電気錠４の解錠を制御する制御部３と、この制御部３からの指令に従って解錠する電気錠４とを備えた防犯扉であって、上記指紋認識部１が、扉部６に穿設された正面視方形の貫通孔７の内面に設けられている。好ましくは、上記貫通孔７は所要のとき以外は、目隠し用の遮蔽手段Ａによって遮蔽される。【選択図】　図１
2004084181.tif 000002
【特許請求の範囲】
【請求項１】
指紋検出窓とイメージセンサとからなる指紋認識部と、この指紋認識部で得られた読み取り指紋データと予め登録されている登録指紋データとの一致、不一致を照合、判定する指紋照合部と、この指紋照合部から送られてくる照合判定結果一致の信号によって電気錠の解錠を制御する制御部と、この制御部からの指令に従って解錠する電気錠とを備えた防犯扉であって、上記指紋認識部が、扉部に穿設された正面視方形の貫通孔の内面に設けられていることを特徴とする指紋認識式防犯扉。
【請求項２】
上記指紋検出窓とイメージセンサとからなる指紋認識部が、扉部に穿設された正面視方形の貫通孔の内面上側に設けられた請求項１に記載の指紋認識式防犯扉。
【請求項３】
上記貫通孔は所要のとき以外は、目隠し用の遮蔽手段によって遮蔽される請求項１に記載の指紋認識式防犯扉。
【請求項４】
上記遮蔽手段は、室外側と通じる窓部および室内側と通じる窓部を備えたベルト状目隠し板とこのベルト状目隠し板を上下移動自在に懸架する２つの回転ローラとからなる目隠し部と、上記回転ローラを軸支する軸受けを側面に備えたフレーム部とから構成されるとともに、上記ベルト状目隠し板には、室外から操作できるレバーと、室内から操作できるレバーとが突設された請求項３に記載の指紋認識式防犯扉。
【請求項５】
指紋照合部と制御部とが電気錠と組合わされて扉部に取付けられた請求項１に記載の指紋認識式防犯扉。
【発明の詳細な説明】
【０００１】
【発明の属する技術分野】
本発明は、電気錠を備えた防犯扉に関する。さらに詳しくは、指紋を照合して、指紋を登録してある人のみが解錠できる電気錠を備えた指紋認識式防犯扉に関する。
【０００２】
【従来の技術】
従来、電子計算機室のように、特定の重要な部屋の扉には、防犯のため、許可された人のみが出入りできるように、予め、指紋や、掌紋のような個人の身体的特徴を登録しておき、利用者が入室の際にそれらを読み取り、照合し、登録データと一致したときのみ解錠する、電気錠が採用されている。（例えば、特許文献１、特許文献２参照）
【０００３】
【特許文献１】
特開昭６３−２８９１８３号公報（第１−３頁、第１図）
【特許文献２】
特開平８−２８１０９号公報（第１−２頁、第１図、第２図）
【０００４】
従来公知の防犯扉においては、例えば、本願図５のブロック図に示すように、電気錠４と別体に指紋認識部１が扉部６以外の場所に配設され、指紋認識部１が読み取った指紋パターンを指紋データ信号に変換して指紋照合部２に電送し、指紋照合部２は、上記指紋データ信号と登録指紋データとの一致、不一致を照合して判定し、一致した場合には、一致信号を制御部３に発信する。制御部３では、上記一致信号に従って、電気錠４にデッドボルト４１の解除を指令し、解錠を行う。図５において、符号５はレバーハンドルであり、符号５１はラッチである。
【０００５】
【発明が解決しようとする課題】
ところで、近年、指紋照合式防犯扉は、上記電子計算機室のように、特定の重要な部屋に設置されるのみならず、防犯上の観点から、マンション等に居住する一般家庭においても利用されつつある。このとき、上記のように構成された防犯扉においては、指紋認識部１は、通常、壁部に設けられる。しかしながら、上記指紋認識部１を壁部に設けた場合、壁部と扉部６の電気錠４との間に配線を行わねばならず、また、部品点数も増えるため現場での作業に手間がかかるという問題がある。さらに、室内から、室外に出るときは、カムターンや、解錠用押し釦を設置しなければならず、コスト的に、また、作業効率的に必ずしも有利とはいえない。本発明は、このような問題を解決して、室の内外から、指紋認識部で指紋を認識することができるとともに、簡単に、一般家庭にも取付けることが可能な指紋認識式防犯扉を提供することをその課題とする。
【０００６】
【課題を解決するための手段】
本発明は、上記課題を解決するために考え出されたものであって、つぎのような技術的手段を講じている。すなわち、本発明によれば、指紋検出窓とイメージセンサとからなる指紋認識部と、この指紋認識部で得られた読み取り指紋データと予め登録されている登録指紋データとの一致、不一致を照合する指紋照合部と、上記指紋照合部から送られてくる照合判定結果一致の信号によって電気錠の解錠を制御する制御部と、この制御部からの指令に従って解錠する電気錠とを備えた防犯扉であって、上記指紋認識部が、扉部に穿設された正面視方形の貫通孔の内面に設けられていることを特徴とする指紋認識式防犯扉が提供される。このようにすることによって、室外から扉部に設けられた指紋認識部の指紋検出窓に指を触れて入室することができるとともに、室内からも上記指紋検出窓に指を触れるだけで解錠して退室することができる。したがって、別途、室内において解錠装置を設ける必要がなく、部品点数を少なくして工場での組立率を高め、現場での作業性を向上させることができる。
【０００７】
上記指紋検出窓とイメージセンサとからなる指紋認識部は、扉部に穿設された正面視方形の貫通孔の内面上側に設けられることが好ましい。上記指紋認識部を内面上側に設ければ、内面の下側や左右側面に設けた場合に比べて、紫外線や太陽光による熱、雨水等に直接曝され難くなるため、上記指紋認識部の劣化を抑えて、長期間の使用が可能となる。
【０００８】
上記貫通孔は所要のとき以外は、目隠し用の遮蔽手段によって遮蔽されることが好ましい。このようにすることによって、室外からの視線を遮ることができる。
【０００９】
上記遮蔽手段は、室外側と通じる窓部および室内側と通じる窓部を備えたベルト状目隠し板とこのベルト状目隠し板を上下移動自在に懸架する２つの回転ローラとからなる目隠し部と、上記回転ローラを軸支する軸受けを側面に備えたフレーム部とから構成されるとともに、上記ベルト状目隠し板には、室外から操作できるレバーと、室内から操作できるレバーとが突設される。この遮蔽手段を貫通孔に組み付けることによって、室外から指紋検出窓に指を触れて入室した後、室内から、上記室内側レバーを操作し、室外側の窓部を下方に移動させて、貫通孔を目隠し部で遮ることができる。
【００１０】
指紋照合部と制御部とが電気錠と組合わされて扉部に取付けられることが好ましい。このようにすることにより、扉部に貫通孔と電気錠のみが取付けられた、コンパクトな構成の防犯扉とすることができる。
【００１１】
【発明の実施の形態】
以下、本発明の好ましい実施の形態について、図面を参照してより詳細に説明する。図１は本発明にかかる指紋認識式防犯扉の概略構成を示すブロック図である。図２は、図１における指紋認識部の拡大斜視図である。図２からよくわかるように、指紋認識部１は、扉部６に穿設された正面視方形の貫通孔７の上面に設けられており、指紋検出窓１１およびイメージセンサ１２から構成される。図２において、上記指紋検出窓１１は、透明ガラスで構成され、この指紋検出窓１１に触れた指紋に光を照射し、例えば、ＣＣＤや、ＢＢＤのような電荷転送素子で構成されたイメージセンサ１２によって、反射率の違いから生じる指紋パターンを読み取る。
【００１２】
上記のようにして読み取られた指紋パターンは、指紋データに変換され、指紋データ信号Ｓ１として指紋照合部２に電送される。指紋照合部２では、イメージセンサ１２からの指紋データ信号Ｓ１から指紋の大きさ、輪郭、渦の有無、縞の数、縞の流れ方等の特徴点を抽出し、予め登録された指紋のデータと照合し、一致したときに、その照合判定結果として判定一致信号Ｓ２を制御部３に電送する。制御部３は、上記判定一致信号Ｓ２が入力されたとき、解錠信号Ｓ３を電気錠４に出力し、デッドボルト４１をデッドボルト受け４２から解除する。上記のようにして入室を許可された人は、レバーハンドル５を操作して入室する。符号５１はラッチであり、５２はラッチ受けである。また、指紋照合部２と、制御部３とは、電気錠４と組合わされて扉部６に取付けられる。なお、電源線からの配線、通電金具、解錠に必要なマイクロスイッチ、リードスイッチ等についての図示は省略する。
【００１３】
上記のように構成することによって、貫通孔７を介して、室内、室外の両方から、指紋認識部１の指紋検出窓１１に指を触れることが可能となり、したがって、入室した後、退室する際には、室内から指紋検出窓１１に指を触れるだけで解錠することができる。その結果、別途、カムロックを設ける手間や、解錠用押釦を設置するための工事を省略することができる。
【００１４】
一方、例えば、マンションの玄関ドアを、本実施形態にかかる指紋認識式防犯扉とした場合、貫通孔７を通して室内が見えるため、目隠し用の遮蔽手段Ａを設ける必要がある。図３は、本実施形態において用いる遮蔽手段Ａの分解斜視図である。図３からよくわかるように、遮蔽手段Ａは、目隠し部８とフレーム部９とから構成されている。目隠し部８は、室外側と通じる窓部８１、室内側と通じる窓部８２を備えたベルト状目隠し板８０が回転ローラ８３、８４によって上下移動自在に懸架され、フレーム部９の両側面には、上記回転ローラ８３の回転軸８３１を軸支する、軸受け９３１、９３１が、また、上記回転ローラ８４の回転軸８４１を軸支する軸受け、９４１、９４１が設けられている。また、上記ベルト状目隠し板８０には、室外から操作できるレバー８５１、室内から操作できる８５２が突設され、これらの２つのレバーによって上記ベルト状目隠し板８０は上下に移動自在とされている。上記フレーム部９には、ビス孔９１、９２が設けられ、フレーム部９は、これらビス孔を介して、扉部６の貫通孔７内にビス留めされる。
【００１５】
図４は、上記のように構成した遮蔽手段Ａを、本実施形態にかかる指紋認識式防犯扉の貫通孔７に組み付けた状態を示す透視斜視図である。図４は、室外側から貫通孔７を経て、指紋検出窓１１に指を触れ、指紋認識を可能にした状態を示す。指紋検出窓１１に指を触れ、入室を許可された利用者は、入室後に、レバー８５２を上方に上げれば、回転ローラ８３、８４が反時計回りに回転し、室外側窓部８１は下方に移動し、室外からの視線は、ベルト状目隠し板８０によって遮られる。一方、室内では、室内側窓部８２がせり上がり、室内側と通じる。室内から出るときは、指紋検出窓１１に指を触れるだけで解錠することができ、室外に出ることができる。かくして、所要のとき以外は、貫通孔７は、遮蔽手段Ａによって遮蔽され、室外からの視線を遮ることができる。
【００１６】
【発明の効果】
以上述べたように、請求項１に記載の発明は、指紋検出窓１１とイメージセンサ１２とからなる指紋認識部１と、この指紋認識部１で得られた読み取り指紋データと予め登録されている登録指紋データとの一致、不一致を照合、判定する指紋照合部２と、この指紋照合部２から送られてくる照合判定結果一致の信号によって電気錠４の解錠を制御する制御部３と、この制御部３からの指令に従って解錠する電気錠４とを備えた防犯扉であって、上記指紋認識部１が、扉部６に穿設された正面視方形の貫通孔７の内面に設けられていることを特徴とする指紋認識式防犯扉である。このようにすることによって、室外から扉部６に設けられた指紋認識部１の指紋検出窓１１に指を触れて入室することができるとともに、室内からも上記指紋検出窓１１に指を触れるだけで解錠して退室することができる。したがって、別途、解錠装置を設ける必要がなく、部品点数を少なくして工場での組立率を高め、現場での作業性を向上させることができる。
【００１７】
請求項２に記載の発明は、上記指紋検出窓１１とイメージセンサ１２からなる指紋認識部１が、扉部６に穿設された正面視方形の貫通孔７の内面上側に設けられる。上記指紋認識部１を内面上側に設ければ、内面の下側や左右側面に設けた場合に比べて、紫外線や太陽光による熱、雨水等に直接曝され難くなるため、請求項１に記載の発明の効果に加えて、上記指紋認識部１の劣化を抑えて、長期間の使用が可能となる。
【００１８】
請求項３に記載の発明は、上記貫通孔７は所要のとき以外は、目隠し用の遮蔽手段Ａによって遮蔽される。このようにすることによって、請求項１に記載の発明の効果に加えて、室外からの視線を遮ることができる。
【００１９】
請求項４に記載の発明は、上記遮蔽手段Ａは、室外側と通じる窓部８１および室内側と通じる窓部８２を備えたベルト状目隠し板８０とこのベルト状目隠し板８０を上下移動自在に懸架する２つの回転ローラ８３、８４とからなる目隠し部８と、上記回転ローラ８３、８４を軸支する軸受け９３１、９４１を側面に備えたフレーム部９とから構成されるとともに、上記ベルト状目隠し板８０には、室外から操作できるレバー８５１と、室内から操作できるレバー８５２とが突設されて構成される。上記遮蔽手段Ａを貫通孔７に組み付けることによって、請求項３に記載の発明の効果に加えて、室外から指紋検出窓１１に指を触れて入室した後、室内から、上記室内側レバー８５２を操作し、室外側の窓部８１を下方に移動させて、貫通孔７をベルト状目隠し板８０で遮ることができる。
【００２０】
請求項５に記載の発明は、指紋照合部２と制御部３とが電気錠４と組合わされて扉部６に取付けられることが好ましい。このようにすることにより、請求項１に記載の発明の効果に加えて、扉部６に貫通孔７と電気錠４のみが取付けられた、コンパクトな構成の防犯扉とすることができる。
【図面の簡単な説明】
【図１】本発明にかかる指紋認識式防犯扉の概略構成を示すブロック図である。
【図２】図１における指紋認識部の拡大斜視図である。
【図３】本発明にかかる遮蔽手段の分解斜視図である。
【図４】上記遮蔽手段を、扉部に取付けた状態を示す透視斜視図である。
【図５】公知の防犯扉の概略構成を示すブロック図である。
【符号の説明】
１　　　　　指紋認識部
１１　　　　指紋検出窓
１２　　　　イメージセンサ
２　　　　　指紋照合部
３　　　　　制御部
４　　　　　電気錠
４１　　　　デッドボルト
４２　　　　デッドボルト受け
５　　　　　レバーハンドル
５１　　　　ラッチ
５２　　　　ラッチ受け
６　　　　　扉部
７　　　　　貫通孔
８　　　　　目隠し部
８０　　　　ベルト状目隠し板
８１　　　　室外側と通じる窓部
８２　　　　室内側と通じる窓部
８３、８４回転ローラ
８３１、８４１回転軸
８５１　　　室外側操作レバー
８５２　　　室内側操作レバー
９　　　　　フレーム部
９１、９２　ビス孔
９３１、９４１軸受け
Ａ　　　　　遮蔽手段
Ｓ１　　　　指紋データ信号
Ｓ２　　　　判定一致信号
Ｓ３　　　　解錠信号
【図１】
2004084181.tif 000003
【図２】
2004084181.tif 000004
【図３】
2004084181.tif 000005
【図４】
2004084181.tif 000006
【図５】
2004084181.tif 000007